(57)【特許請求の範囲】
【請求項１】
押離鍵操作される鍵と、
前記鍵の下方に配置され、前記鍵の前端が揺動するように前記鍵を支持するフレームと、
前記フレームの下方に配置され、前記鍵の押離鍵操作に応じて端部が揺動するように前記フレームに支持された質量体とを備えた電子鍵盤楽器であって、
前記鍵を、押離鍵操作される鍵前部と前記フレームに支持される鍵後部との対向する上部どうしを接続部で連結して構成するとともに、前記フレームにおける前記接続部の下方の部分に開口部を設けて、前記質量体の端部が前記開口部を含む前記接続部の下方に形成された空間内で搖動するようにしたことを特徴とする電子鍵盤楽器。
【請求項２】
前記フレームの前記開口部が設けられた部分の左右に前後に延びるリブ状の側壁を設けた請求項１に記載の電子鍵盤楽器。
【請求項３】
前記フレームを、前記鍵を支持する鍵支持部と、前記質量体を支持する質量体支持部とを接続して構成し、前記開口部が前記鍵支持部と前記質量体支持部との間に設けられている請求項１または２に記載の電子鍵盤楽器。
【請求項４】
前記質量体の搖動の上端を規制するストッパを、前記質量体支持部に設けた請求項３に記載の電子鍵盤楽器。
【請求項５】
前記接続部は板体で構成されている請求項１ないし４のうちのいずれか一つに記載の電子鍵盤楽器。
【発明の詳細な説明】
【技術分野】
【０００１】
本発明は、電子オルガン、電子ピアノ等、重量感のある押鍵タッチ感覚を得るための質量体を備えた電子鍵盤楽器に関する。
【背景技術】
【０００２】
アコースティックピアノにおいては、押鍵した場合、質量感のある鍵タッチ感覚がある。この鍵タッチ感覚を電子楽器の鍵盤装置においても模擬するために、従来から種々の工夫がなされている。例えば、下記特許文献１には、鍵に連動して揺動することにより押鍵時に質量感を与えるハンマーからなる質量体を備えた電子楽器の鍵盤装置が示されている。この電子楽器の鍵盤装置では、質量体の揺動によりアコースティックピアノと同様の鍵タッチ感覚を得ることができる。このような鍵盤装置においては、質量体にある程度の重さと揺動する際の角度が必要であり、前述した電子楽器の鍵盤装置では、質量体を、所定の長さを有する棒状金属材料からなる質量集中部と、揺動被支持部を有する樹脂部とで構成し、質量体の後端を鍵の後端よりも後方に延ばしている。
【特許文献１】特許第２９１７８６３号公報
【発明の開示】
【０００３】
しかしながら、前述した従来の電子楽器の鍵盤装置では、質量体の後端が鍵の後端よりも後方に延びているため、鍵盤装置の奥行きが長くなり鍵盤装置が大型になる。
【０００４】
本発明は、このような問題に対処するためになされたもので、その目的は、大型化することなく、重量感のある鍵タッチ感覚を得ることのできる電子鍵盤楽器を提供することである。
【０００５】
前述した目的を達成するため、本発明に係る電子鍵盤楽器の構成上の特徴は、押離鍵操作される鍵と、鍵の下方に配置され、鍵の前端が揺動するように鍵を支持するフレームと、フレームの下方に配置され、鍵の押離鍵操作に応じて端部が揺動するようにフレームに支持された質量体とを備えた電子鍵盤楽器であって、鍵を、押離鍵操作される鍵前部とフレームに支持される鍵後部との対向する上部どうしを接続部で連結して構成するとともに、フレームにおける接続部の下方の部分に開口部を設けて、質量体の端部が開口部を含む接続部の下方に形成された空間内で搖動するようにしたことにある。
【０００６】
前述した本発明に係る電子鍵盤楽器では、フレームにおける質量体の端部に対向する部分に開口部を設けているため、質量体の端部が上方に移動したときには開口部から上方に突出する。これによって、質量体の長さを短くすることができる。この場合、質量体が、押鍵操作される鍵に連動して揺動するように構成することにより、重量感のある優れた鍵タッチ感覚を得ることができる。
【０００７】
例えば、電子鍵盤楽器を、下方に延びる駆動部が前端側部分に設けられ押離鍵操作される鍵と、鍵の下方に配置され、鍵の前端が揺動するように鍵を支持するフレームと、フレームの下方に配置され、前端に駆動部を介して鍵の押離鍵操作力が伝達されることにより後端が揺動するようにフレームに支持された質量体とを備えた電子鍵盤楽器で構成することができる。そして、フレームにおける質量体の後端側部分に対向する部分に開口部を設けて、質量体の後端側部分が上方に移動したときに開口部の上方でかつ鍵の下方に突出するようにすることができる。
【０００８】
これによると、フレームにおける質量体の後端側部分に対向する部分に開口部が位置するため、押鍵操作により鍵の前端側が下方に移動すると、駆動部によって質量体の前端部が下方に押圧されて質量体の後端側部分が上方に移動して開口部から上方に突出する。この結果、質量体の長さを短くして電子鍵盤楽器を小型にしても、質量体の揺動角度を大きくすることができるため重量感のある優れた鍵タッチ感覚を得ることができる。この場合、ストッパ等を設けて質量体の後端側部分が上昇しても鍵に接触しないようにすることが好ましい。なお、質量体は、フレームの下面に、前端よりもやや後部側部分を支点として揺動自在に支持させておき、前端部に鍵の駆動部が係合するようにしておく。これによって、鍵の押離鍵操作力が質量体に伝達される。また、本発明に係る電子鍵盤楽器では、鍵を、押離鍵操作される鍵前部とフレームに支持される鍵後部との対向する上部どうしを接続部で連結して構成するとともに、フレームにおける接続部の下方の部分に開口部を設けて、質量体の端部が開口部を含む接続部の下方に形成された空間内で搖動するようにしたため、質量体の揺動角度をさらに大きくすることができる。なお、接続部は細長い板体で構成し、鍵前部の上面に接続することが好ましい。
【０００９】
本発明に係る電子鍵盤楽器の他の構成上の特徴は、フレームの開口部が設けられた部分の左右に前後に延びるリブ状の側壁を設けたことにある。これによると、フレームに開口部を設けても開口部の近傍に側壁があるためフレームの強度を維持することができる。また、側壁は、開口部の左右に配置されて前後方向に延びているため質量体の揺動を妨げることがない。この場合、リブ状の側壁は、フレームの下面における開口部が設けられた部分に設けることが好ましい。
【００１１】
また、本発明に係る電子鍵盤楽器では、フレームを、鍵を支持する後部側の鍵支持部と、質量体を支持する前部側の質量体支持部と、左右に間隔を保って配置され鍵支持部と質量体支持部とを接続する複数のリブ状の側壁とで構成し、鍵支持部と質量体支持部と側壁とで開口部を形成することができる。これによると、鍵支持部と質量体支持部とをそれぞれ安定性のよい台部材で構成し、両台部材を側壁で接続することができるため、フレームを高強度にすることができる。また、鍵支持部と質量体支持部とを側壁で接続することによりフレームを一体成形することができる。
【００１２】
さらに、本発明に係る電子鍵盤楽器では、鍵支持部を、底面部と、底面部の前縁部に形成された前壁と、底面部の後縁部に形成された後壁とで構成し、後璧に鍵を支持させることができる。これによると、前壁が側壁を介して質量体支持部に接続されるようになり、フレームを一体成形する際に使用される金型の構造を単純な構造にすることができる。また、フレームの剛性も確保することができる。
【００１３】
また、本発明に係る電子鍵盤楽器では、鍵支持部を、縦壁部と、縦壁部の後縁部に形成された水平部とで構成し、水平部に鍵を支持させることもできる。これによると、フレームを一体成形する際に使用される金型の構造をさらに単純な構造にすることができる。また、フレームの剛性も確保することができる。
【発明を実施するための最良の形態】
【００１４】
（第１実施形態）
以下、本発明の第１実施形態を図面を用いて説明する。図１は、同実施形態に係る電子鍵盤楽器Ａを示している。この電子鍵盤楽器Ａは、上面における前部側に左右方向に配列された複数の白鍵１０と黒鍵１０とからなる鍵盤を形成し、上面における後部側に電子鍵盤楽器Ａの動作態様を選択するための複数のパネルスイッチＰＳＷを設けて構成されている。複数の鍵１０は、図２Ａに示したように、合成樹脂で一体成形したフレーム２０に組み付けられている。また、図２Ｂはフレーム２０の平面の一部を示しており、このフレーム２０は、支持台３０上に固定されている。
【００１５】
フレーム２０は、支持台３０の上方に、支持台３０の上面と間隔を保って平行に配置された平面状の上面部２１と、上面部２１の前縁部と後縁部とからそれぞれ支持台３０の上面に向かって前後に広がるように僅かに傾斜して延びる縦壁部２２とを備えている。そして、前部の縦壁部２２の下端前部に形成された水平状の下縁部２２ａと、後部の縦壁部２２の下端後部に形成された水平状の下縁部２２ａとがそれぞれ複数の固定ねじ２３によって支持台３０に固定されている。上面部２１の前後方向の略中央には、前後に延びる複数の開口部２４が鍵１０と同じ間隔で左右（図２Ｂでは上下）に並んで形成されている。
【００１６】
また、上面部２１の下面における左右両端の開口部２４を除いた各開口部２４の両側には、それぞれ上面部２１の下面から支持台３０の上面に向かって延びるリブ状の側壁２５が形成されている。側壁２５は、側面視が上部よりも下部が幅狭になった台形の上下を逆にした形状をしており、上部の長さが開口部２４の前後方向の長さの略２倍になっている。また、上面部２１の前端からやや後部側の部分には、開口部２４と左右方向の幅が略等しく、開口部２４よりも前後方向の長さが短い複数の挿通孔２６が、開口部２４と同間隔で、かつ左右方向の位置を開口部２４と同じにして形成されている。
【００１７】
そして、上面部２１の上面における各挿通孔２６の後部側に、それぞれ上方に延びる棒状の鍵ガイド２７が設けられている。また、上面部２１の後端部には、開口部２４、挿通孔２６および鍵ガイド２７と左右方向の位置をずらして軸穴を備えた複数の軸受け２８が開口部２４等と同じ間隔で左右に並んで設けられている。そして、上面部２１の下面における鍵ガイド２７の後部側に、それぞれ下方に延びる棒状の支持部材２９が設けられている。この支持部材２９の下端右側面には、右側に延びる支軸２９ａが形成されている。
【００１８】
鍵１０は、下方を開放させて、長手方向に直交する断面がコ字状になるように合成樹脂で一体成形されている。また、鍵１０の後端部には、左右に延びる支軸１１が設けられている。そして、鍵１０は、この支軸１１を軸受け２８の軸穴に通し、支軸１１を支点とし前端部を上下に揺動可能にしてフレーム２０に支持されている。鍵１０の前端側部分の内部には鍵ガイド２７が下方から入り込んでおり、鍵１０の前端側部分は押鍵時に鍵ガイド２７に案内されて垂直に変位する。また、鍵１０の前端部近傍の下面には、略垂直下方に延びる駆動部１２が一体的に形成されている。駆動部１２は、後方を開放させて水平断面をコ字状にして形成されており、下端は閉じている。この駆動部１２は、挿通孔２６を貫通して上面部２１の下方に延びている。
【００１９】
また、上面部２１の下方には、本発明の質量体としてのハンマー４０が設けられており、このハンマー４０は、駆動部１２を介して鍵１０に組み付けられている。ハンマー４０は、合成樹脂製のレバー基部４１と金属製の質量部４２とで構成されている。レバー基部４１は、長尺状かつ平面状に形成されて、長手方向を前後方向にするとともに板面を垂直にして鍵１０の前部下方に配置されており、後部側の側面に設けられた軸穴に支軸２９ａを挿通させて支持部材２９に揺動可能に支持されている。また、レバー基部４１の前端部には、上下に間隔を隔てて二股に分かれた一対の突片４１ａ，４１ｂが形成され、上方に位置する突片４１ａは下方に位置する突片４１ｂより短く形成されている。
【００２０】
両突片４１ａ，４１ｂの間には駆動部１２の下端壁が入り込んで両突片４１ａ，４１ｂに係合している。これにより、鍵１０の離鍵時には、自重によるハンマー４０の前端部の上方への変位により、鍵１０の前端部は上方に変位している。一方、鍵１０の押鍵時には、駆動部１２の下端壁が突片４１ｂを押圧し、ハンマー４０の前端部は下方に変位する。質量部４２は、金属棒４２ａの後端に側面視が略三角形の金属塊４２ｂを結合して構成されており、その前部外周にレバー基部４１をアウトサート成形することによりレバー基部４１に一体的に組み付けられている。この質量部４２は、鍵１０の押鍵時には、図２Ａに二点鎖線で示したように、上方に変位してその金属塊４２ｂの一部は開口部２４を通過してその上方に突出する。
【００２１】
各質量部４２は、金属塊４２ｂの大きさをそれぞれ異ならせることにより重さを異ならせている。すなわち、白鍵１０においても、黒鍵１０においても、低音側から高温側に向って鍵ごとに金属塊４２ｂを小さくして、低音の鍵ほど、質量部４２の重さを大きくしている。また、隣り合う白鍵１０と黒鍵１０とに関しては、押鍵位置の違いによって押鍵に対する反力に違いが生じることを避けるために、黒鍵１０の金属塊４２ｂを白鍵１０の金属塊４２ｂよりも小さくしている。
【００２２】
また、フレーム２０の上面部２１の上面における前端部には、フェルト等の衝撃吸収材で構成された長尺状の上限ストッパ４３ａが鍵盤横方向に延設して固着されている。さらに、支持台３０の上面における駆動部１２の下方に位置する部分に、フェルト等の衝撃吸収材で構成された長尺状の上限ストッパ４３ｂが鍵盤横方向に延設されて固着されている。そして、上面部２１の下面における開口部２４の前縁部に沿った部分にも、フェルト等の衝撃吸収材で構成された長尺状の上限ストッパ４３ｃが鍵盤横方向に延設されて固着されている。
【００２３】
上限ストッパ４３ａは、押鍵時における鍵１０の下方への変位を規制することにより、ハンマー４０の後端部の上方への変位を規制する。上限ストッパ４３ｂは、押鍵時における駆動部１２の下方への変位を突片４１ｂを介して規制することにより、ハンマー４０の後端部の上方への変位を規制する。そして、上限ストッパ４３ｃは、押鍵時における質量部４２の金属棒４２ａの上方への変位を規制することにより、ハンマー４０の後端部の上方への変位を規制する。
【００２４】
上限ストッパ４３ａ，４３ｂ，４３ｃは、タイミングを僅かにずらして、鍵１０やハンマー４０の所定部分に当接するように設置されており、これによって、鍵１０やフレーム２０等に掛かる力が分散される。また、支持台３０の上面における金属塊４２ｂの下方に位置する部分には、フェルト等の衝撃吸収材で構成された長尺状の下限ストッパ４４が鍵盤横方向に延設して固着されている。この下限ストッパ４４は、ハンマー４０の金属塊４２ｂの下方への変位を規制することにより、離鍵時における鍵１０の前端部の上方への変位を規制する。
【００２５】
また、上面部２１の上面における開口部２４の前縁部近傍に、複数の鍵スイッチ４５が組み付けられたプリント基板４６が鍵盤横方向に延設されている。そして、鍵１０の下面における鍵スイッチ４５に対向する部分に、下方に突出したスイッチ駆動部１３が形成されている。なお、図示していないが、各鍵スイッチ４５とプリント基板４６との間には、それぞれ３組の電気接点が異なる間隔で対向して設けられている。そして、鍵１０の押鍵時には、スイッチ駆動部１３の下方への移動に伴って、３組の電気接点が順にオンになり、鍵１０の離鍵時には、３組の電気接点がオンになるときと逆の順序でオフになる。
【００２６】
また、図示していないが、電子鍵盤楽器Ａには楽音信号発生回路が備わっており、複数の鍵スイッチ４５からの信号は、この楽音信号発生回路に供給される。楽音信号発生回路は、各鍵スイッチ４５とプリント基板４６との間に設けられた３組の電気接点のオンオフ状態や各電気接点の状態が変化する間の時間に応じた楽音信号を発生する。すなわち、楽音信号発生回路は、鍵１０の押離鍵によりオンオフする３組の電気接点の状態や、押鍵速度を検出する。そして、検出された３組の電気接点の状態や、押鍵速度は、楽音信号の発生、終了および発生される楽音信号の音量および音色の制御に利用される。
【００２７】
つぎに、以上のように構成した第１実施形態に係る電子鍵盤楽器Ａの動作を説明する。鍵１０を押鍵操作しない状態では、ハンマー４０の金属塊４２ｂはその自重により下限ストッパ４４に当接している。この状態で、鍵１０を押鍵操作すると、鍵１０はハンマー４０の質量部４２の自重に抗して後端部の支軸１１を支点に図２Ａの状態で反時計周りに回転し始める。そして、鍵１０が所定の深さまで押鍵されると、鍵１０の前端側下面が上限ストッパ４３ａに当接して鍵１０の前端部の下方への変位が規制される。また、押鍵の強さに応じて、ハンマー４０の突片４１ｂが上限ストッパ４３ｂに当接し、ハンマー４０の金属棒４２ａが上限ストッパ４３ｃに当接する。
【００２８】
このとき、図２Ａに二点鎖線で示したように、質量部４２の金属塊４２ｂの一部は、開口部２４内を通過して上面部２１の上方に突出する。また、演奏者には、アコースティックピアノを弾いたときのような質量感が得られる。また、鍵１０の回転に伴い、スイッチ駆動部１３が鍵スイッチ４５を押圧し、鍵スイッチ４５の３組の電気接点を順にオンにする。そして、鍵１０を離鍵すると、質量部４２の金属塊４２ｂが下限ストッパ４４に当接するまで、質量部４２の自重によりハンマー４０は支軸２９ａを支点に図２Ａの状態で時計周りに回転して原点位置に復帰する。そして、このような鍵１０の押離鍵操作に応じて、楽音信号発生回路は楽音信号を発生する。また、楽音信号発生回路は、検出した押鍵速度に応じて、発生される楽音信号の音量および音色を制御する。
【００２９】
このように、本実施形態に係る電子鍵盤楽器Ａでは、フレーム２０の上面部２１に開口部２４を設けて、鍵１０を押鍵操作したときに、ハンマー４０の金属塊４２ｂが開口部２４から上方に突出するようにしている。このため、ハンマー４０の揺動角度を大きくすることができ重量感のある優れた鍵タッチ感覚を得ることができる。また、ハンマー４０の長さを短くすることができるため、電子鍵盤楽器Ａの奥行きを小さくして小型化することもできる。さらに、上面部２１の下面における開口部２４の左右に側壁２５を設けたため、上面部２１に複数の開口部２４を設けてもフレーム２０の強度を維持することができる。
【００３０】
（第２実施形態）
図３Ａは、本発明の第２実施形態に係る電子鍵盤楽器の断面を示しており、図３Ｂおよび図３Ｃは、その電子鍵盤楽器が備えるフレーム５０を示している。この電子鍵盤楽器では、フレーム５０が、前部に位置するハンマー支持部５１と、後部に位置する鍵支持部５６と、ハンマー支持部５１と鍵支持部５６とを接続する複数の側壁５５とで構成されている。ハンマー支持部５１は、支持台３０ａの上方に配置された左右に延びる平面状の上面部５１ａと、上面部５１ａの前縁部から支持台３０ａの上面に向かって前方に僅かに傾斜して延びる前壁部５２ａと、上面部５１ａの後縁部から支持台３０ａの上面に向かって後方に僅かに傾斜して延びる後壁部５２ｂとを備えている。
【００３１】
そして、前壁部５２ａの下端前部に形成された水平状の下縁部５３ａと、後壁部５２ｂの下端後部に形成された水平状の下縁部５３ｂとがそれぞれ複数の固定ねじ２３ａによって支持台３０ａに固定されている。また、後壁部５２ｂと下縁部５３ｂとには、上面部５１ａの下端から下縁部５３ｂの後端にかけて延びる複数のハンマー設置用開口５４が左右に一定間隔を保って形成されている。そして、後壁部５２ｂにおけるハンマー設置用開口５４の左内側面にそれぞれ右側（図３Ｃでは下側）に向かって延びる支軸５４ａが形成されている。
【００３２】
上面部５１ａの前後方向の略中央には、ハンマー設置用開口５４と左右方向の幅が略等しい複数の挿通孔２６ａがハンマー設置用開口５４と同間隔で、かつ左右方向の位置をハンマー設置用開口５４と同じにして形成されている。そして、上面部５１ａの上面における各挿通孔２６ａの前部側に、それぞれ上方に延びる棒状の鍵ガイド２７ａが設けられている。また、上面部５１ａの上面の後端縁部の近傍に複数の鍵スイッチ４５ａが組み付けられたプリント基板４６ａが鍵盤横方向に延設されている。
【００３３】
鍵支持部５６は、支持台３０ａの上方に配置された左右に延びる平面状の上面部５６ａと、上面部５６ａの前縁部から支持台３０ａの上面に向かって前方に僅かに傾斜して延びる前壁部５７ａと、上面部５６ａの後縁部から支持台３０ａの上面に向かって後方に僅かに傾斜して延びる後壁部５７ｂとを備えている。そして、前壁部５７ａの下端前部に形成された水平状の下縁部５８ａと、後壁部５７ｂの下端後部に形成された水平状の下縁部５８ｂとがそれぞれ複数の固定ねじ２３ａによって支持台３０ａに固定されている。上面部５６ａの後端部には、複数の軸受け２８ａが左右に間隔を保って設けられている。
【００３４】
側壁５５は、前述した側壁２５と同形状をしており、ハンマー設置用開口５４等と同間隔に配置されて、ハンマー支持部５１の後壁部５２ｂと鍵支持部５６の前壁部５７ａとを接続している。このフレーム５０も合成樹脂で一体成形されている。この電子鍵盤楽器では、ハンマー支持部５１の後壁部５２ｂ、鍵支持部５６の前壁部５７ａおよび側壁５５で囲まれて形成される空間部の上端で本発明に係る開口部が構成される。鍵１０ａは、駆動部１２と同形の駆動部１２ａを挿通孔２６ａ内を貫通させて下方に延ばし、スイッチ駆動部１３ａを鍵スイッチ４５ａに対向させた状態で設置されている。
【００３５】
また、ハンマー４０ａは、支軸５４ａに揺動可能に支持され、鍵１０ａは、軸受け２８ａに揺動可能に支持されている。そして、上限ストッパとしては、支持台３０ａの上面における駆動部１２ａの下方に位置する上限ストッパ４３ｄだけが設けられている。第２実施形態に係る電子鍵盤楽器のそれ以外の部分の構成については、前述した電子鍵盤楽器Ａの対応する部分と同一である。したがって、同一部分に同一符号を記して説明は省略する。
【００３６】
第２実施形態に係る電子鍵盤楽器によると、ハンマー支持部５１と鍵支持部５６とをそれぞれ強固に形成することができるとともに、揺動するハンマー４０ａと鍵１０ａとをそれぞれハンマー支持部５１と鍵支持部５６とに分離して安定よく支持することができる。また、ハンマー支持部５１と鍵支持部５６とを複数の側壁５５で接続することによりフレーム５０自体の強度も維持することができる。この実施形態に係る電子鍵盤楽器のそれ以外の作用効果については、前述した電子鍵盤楽器Ａと同様である。
【００３７】
（第３実施形態）
図４Ａは、本発明の第３実施形態に係る電子鍵盤楽器の断面を示しており、図４Ｂおよび図４Ｃは、その電子鍵盤楽器が備えるフレーム６０を示している。この電子鍵盤楽器では、フレーム６０が、前部に位置するハンマー支持部６１と、後部に位置する鍵支持部６６と、ハンマー支持部６１と鍵支持部６６とを接続する複数の側壁６５とで構成されている。ハンマー支持部６１は、支持台３０ｂの上方に配置された左右に延びる平面状の上面部６１ａと、上面部６１ａの前縁部から支持台３０ｂの上面に向かって真下に延びる縦壁部６２とを備えている。
【００３８】
そして、縦壁部６２の下端前部に形成された水平状の下縁部６２ａが複数の固定ねじ２３ｂによって支持台３０ｂに固定されている。また、縦壁部６２と下縁部６２ａとには、上面部６１ａの下端から下縁部６２ａの前端にかけて延びる複数のハンマー設置用開口６４が左右に一定間隔を保って形成されている。そして、縦壁部６２におけるハンマー設置用開口６４の左内側面にそれぞれ右側（図４Ｃでは下側）に向かって延びる支軸６４ａが形成されている。上面部６１ａの上面における前端部に、それぞれ上方に延びる棒状の鍵ガイド２７ｂが設けられている。また、上面部６１ａの上面の前後方向の中央に複数の鍵スイッチ４５ｂが組み付けられたプリント基板４６ｂが鍵盤横方向に延設されている。
【００３９】
鍵支持部６６は、支持台３０ｂの上面に複数の固定ねじ２３ｂによって固定された左右に延びる平面状の底面部６７ａと、底面部６７ａの前縁部から上方に向かって前方に僅かに傾斜して延びる前壁部６７ｂと、底面部６７ａの後縁部から上方に向かって後方に僅かに傾斜して延びる後壁部６７ｃとを備えている。そして、後壁部６７ｃの上端部に、後方に向って延びる水平状の上面部６６ａが設けられている。この上面部６６ａの上面には、複数の軸受け２８ｂが間隔を保って設けられている。
【００４０】
側壁６５は、ハンマー設置用開口６４等と同間隔に配置されて、ハンマー支持部６１の縦壁部６２の後面および上面部６１ａの下面と後端面を、鍵支持部６６の前壁部６７ｂの前面に接続している。また、側壁６５の下部には側面視が略台形の切欠き部が設けられている。このフレーム６０も合成樹脂で一体成形されており、ハンマー支持部６１の構造を単純にするとともに側壁６５に切欠き部を設けることにより、使用する合成樹脂を少量にしている。
【００４１】
この電子鍵盤楽器では、ハンマー支持部６１の上面部６１ａ、鍵支持部６６の前壁部６７ｂ上縁部および側壁６５の上縁部で囲まれて形成される空間部で本発明に係る開口部が構成される。鍵１０ｂは、駆動部１２と同形の駆動部１２ｂを、ハンマー支持部６１の前方で下方に延ばし、スイッチ駆動部１３ｂを鍵スイッチ４５ｂに対向させた状態で設置されている。また、ハンマー４０ｂは、支軸６４ａに揺動可能に支持され、鍵１０ｂは、軸受け２８ｂに揺動可能に支持されている。そして、上限ストッパとしては、上面部６１ａの上面後縁部に位置する上限ストッパ４３ｅだけが設けられている。第３実施形態に係る電子鍵盤楽器のそれ以外の部分の構成については、前述した電子鍵盤楽器Ａの対応する部分と同一である。したがって、同一部分に同一符号を記して説明は省略する。
【００４２】
第３実施形態に係る電子鍵盤楽器によると、フレーム６０の構造が単純であるため、フレーム６０を一体成形する際に使用する金型の構造を単純な構造にすることができるとともに使用する合成樹脂を少量にすることができる。また、側壁６５が、ハンマー支持部６１の縦壁部６２と鍵支持部６６の前壁部６７ｂだけでなく、ハンマー支持部６１の上面部６１ａにも接続されているため、フレーム６０の構造を単純にしながらその剛性を確保することができる。この実施形態に係る電子鍵盤楽器のそれ以外の作用効果については、前述した電子鍵盤楽器Ａと同様である。
【００４３】
（第４実施形態）
図５Ａは、本発明の第４実施形態に係る電子鍵盤楽器の断面を示しており、図５Ｂおよび図５Ｃは、その電子鍵盤楽器が備えるフレーム７０を示している。この電子鍵盤楽器では、フレーム７０が、前部に位置するハンマー支持部７１と、後部に位置する鍵支持部７６と、ハンマー支持部７１と鍵支持部７６とを接続する複数の側壁７５とで構成されている。ハンマー支持部７１は、支持台３０ｃの上方に配置された左右に延びる平面状の上面部７１ａと、上面部７１ａの後縁部から支持台３０ｃの上面に向かって後方に僅かに傾斜して延びる縦壁部７２とを備えている。
【００４４】
そして、縦壁部７２の下端後部に形成された水平状の下縁部７２ａが複数の固定ねじ２３ｃによって支持台３０ｃに固定されている。また、縦壁部７２と下縁部７２ａとには、上面部７１ａの下端から下縁部７２ａの後端にかけて延びる複数のハンマー設置用開口７４が左右に一定間隔を保って形成されている。そして、縦壁部７２におけるハンマー設置用開口７４の左内側面にそれぞれ右側（図５Ｃでは下側）に向かって延びる支軸７４ａが形成されている。上面部７１ａの上面における前部に、それぞれ上方に延びる棒状の鍵ガイド２７ｃが左右に間隔を保って設けられ、上面部７１ａの上面の後部に複数の鍵スイッチ４５ｃが組み付けられたプリント基板４６ｃが鍵盤横方向に延設されている。
【００４５】
鍵支持部７６は、支持台３０ｃの上方に配置された左右に延びる平面状の上面部７６ａと、上面部７６ａの前縁部から支持台３０ｃの上面に向かって前方に僅かに傾斜して延びる縦壁部７７とを備えている。そして、縦壁部７７の下端前部に形成された水平状の下縁部７７ａが複数の固定ねじ２３ｃによって支持台３０ｃに固定されている。上面部７６ａの後端部には、複数の軸受け２８ｃが左右に間隔を保って設けられている。
【００４６】
側壁７５は、ハンマー設置用開口７４等と同間隔に配置されてハンマー支持部７１の縦壁部７２と鍵支持部７６の縦壁部７７を接続している。また、側壁７５の上部と下部の中央部分にはそれぞれ前後に延びる切欠き部が設けられている。そして、上面部７６ａと縦壁部７７とで囲まれる鍵支持部７６の後部における各側壁７５に対応する部分には、略三角形の複数のリブ７５ａが形成されている。このフレーム７０も合成樹脂で一体成形されており、ハンマー支持部７１と鍵支持部７６と双方の構造を単純にするとともに側壁７５の上部と下部とにそれぞれ切欠き部を設けることにより、使用する合成樹脂の量を第３実施形態におけるフレーム６０よりもさらに少なくしている。
【００４７】
この電子鍵盤楽器では、ハンマー支持部７１の縦壁部７２、鍵支持部７６の縦壁部７７および側壁７５の上縁部で囲まれて形成される空間部で本発明に係る開口部が構成される。また、上限ストッパとしては、支持台３０ｃの上面におけるハンマー支持部７１の前方に位置する上限ストッパ４３ｆだけが設けられている。第４実施形態に係る電子鍵盤楽器のそれ以外の部分の構成については、前述した第３実施形態に係る電子鍵盤楽器の対応する部分と同一である。したがって、同一部分に同一符号を記して説明は省略する。
【００４８】
第４実施形態に係る電子鍵盤楽器によると、前述した第３実施形態に係る電子鍵盤楽器と比較して、フレーム７０を一体成形する際に使用する金型の構造をさらに単純な構造にすることができるとともに使用する合成樹脂もさらに少量にすることができる。また、鍵支持部７６の後部にリブ７５ａを設けたため、フレーム７０の構造を単純にしながらその剛性を確保することができる。この実施形態に係る電子鍵盤楽器のそれ以外の作用効果については、前述した第３実施形態に係る電子鍵盤楽器と同様である。
【００４９】
（第５実施形態）
図６Ａは、本発明の第５実施形態に係る電子鍵盤楽器の断面を示しており、図５Ｂおよび図５Ｃは、その電子鍵盤楽器が備えるフレーム８０を示している。この電子鍵盤楽器では、フレーム８０が、前部に位置するハンマー支持部８１と、後部に位置する鍵支持部８６と、ハンマー支持部８１と鍵支持部８６とを接続する複数の側壁８５とで構成されている。ハンマー支持部８１は、支持台３０ｄの上方に前後に配置され前部が後部よりも高くなった左右に延びる段違いの上面部８１ａと、上面部８１ａの前縁部から支持台３０ｄの上面に向かって前方に僅かに傾斜して延びる前壁部８２ａと、上面部８１ａの後縁部から屈曲して下方に延びる壁部を介して上面部８１ａの後縁部に接続され支持台３０ｄの上面に沿って後方に延びる底面部８２ｃとを備えている。
【００５０】
そして、前壁部８２ａの下端前部に形成された水平状の下縁部８２ｂと底面部８２ｃとが複数の固定ねじ２３ｄによって支持台３０ｄに固定されている。底面部８２ｃの上面には、複数のハンマー取付部８４が左右に一定間隔を保って設けられている。このハンマー取付部８４は、下部から上部に行くほど細くなった棒状に形成されており、その左側面にそれぞれ右側（図６Ｃでは下側）に向かって延びる支軸８４ａが形成されている。そして、ハンマー取付部８４の上面における右側部分に、それぞれ上方に延びる棒状の鍵ガイド２７ｄが形成されている。また、上面部８１ａの前部の上面に複数の鍵スイッチ４５ｄが組み付けられたプリント基板４６ｄが鍵盤横方向に延設されている。
【００５１】
鍵支持部８６は、支持台３０ｄの上面に複数の固定ねじ２３ｄによって固定された左右に延びる平面状の底面部８７ａと、底面部８７ａの前縁部から上方に向かって前方に僅かに傾斜して延びる前壁部８７ｂと、底面部８７ａの後縁部から上方に向かって後方に僅かに傾斜して延びる後壁部８７ｃとを備えている。そして、前壁部８７ｂの上端部に、前方に向って延びる水平状の上面部８６ａが設けられ、後壁部８７ｃの上端部に、後方に向って延びる水平状の上面部８６ｂが設けられている。この上面部８６ｂの上面には、複数の軸受け２８ｄが左右に間隔を保って設けられている。
【００５２】
側壁８５は、ハンマー取付部８４の後面右縁部と底面部８２ｃの上面とを鍵支持部８６の前壁部８７ｂ前面と上面部８６ａとに接続している。また、側壁８５の下部には側面視がアーチ状の切欠き部が設けられている。このフレーム８０も合成樹脂で一体成形されている。この電子鍵盤楽器では、ハンマー取付部８４、鍵支持部８６の上面部８６ａおよび側壁８５の上縁部で囲まれて形成される空間部で本発明に係る開口部が構成される。
【００５３】
また、鍵１０のうちの白鍵１０ｄは、前述した白鍵１０等の前部側半分の長さ程度に形成された鍵前部１５と、白鍵１０等の後端部だけの長さに形成された鍵後部１６とを、金属板からなる接続部材１７で連結して構成されている。接続部材１７は、平面状の中央部分の前部を屈曲して斜め下方に延ばした後にさらに屈曲して前方水平方向に延ばし、平面状の中央部分の後部を屈曲して斜め下方に延ばした後にさらに屈曲して後方水平方向に延した形状に形成されている。そして、接続部材１７は、前端部をねじ１８で鍵前部１５の後端上面に固定し、後端部をねじ１８で鍵後部１６の前端上面に固定して、鍵前部１５と鍵後部１６とを連結している。このため、鍵１０ｄにおける中央よりも後部側の下面には空間部が形成されている。
【００５４】
この鍵１０ｄは、鍵前部１５の中央よりもやや後部側部分の内部に鍵ガイド２７ｄを進入させ、駆動部１２ｄを、ハンマー取付部８４の前方で下方に延ばし、スイッチ駆動部１３ｄを鍵スイッチ４５ｄに対向させた状態で設置されている。また、ハンマー４０ｄは、支軸８４ａに揺動可能に支持されている。そして、上限ストッパ４３ｇが、上面部８１ａの後部の低い部分に駆動部１２ｄに対向して設けられている。第５実施形態に係る電子鍵盤楽器のそれ以外の部分の構成については、前述した電子鍵盤楽器Ａの対応する部分と同一である。
【００５５】
したがって、同一部分に同一符号を記して説明は省略する。第５実施形態に係る電子鍵盤楽器によると、ハンマー４０ｄの揺動角度をさらに大きくすることができる。この実施形態に係る電子鍵盤楽器のそれ以外の作用効果については、前述した電子鍵盤楽器Ａと同様である。また、白鍵１０ｄの変形例として、鍵後部１６を用いず、接続部材１７の長さを後方に長くするとともに、その後端部に支軸を設けて、軸受け２８ｄに揺動可能に支持させることもできる。
【００５６】
また、前述した各実施形態では、ハンマー４０等を、図７（Ａ）に示したように、合成樹脂製のレバー基部４１と金属製の質量部４２とで構成しているが、これに代えて、図７（Ｂ）に示したハンマー９０や、図７（Ｂ）に示したハンマー９０ａを用いることができる。ハンマー９０は、レバー基部４１の先端に先端が折り返された金属棒９１を連結したもので、金属棒９１の折り返し部９２の長さを調整することによってハンマー９０先端部の重さが調整される。また、ハンマー９０ａは、レバー基部４１の先端に先端が巻き付けられた金属棒９３を連結したもので、金属棒９３の巻き付け部９４の巻き付け状態を調整することによってハンマー９０ａ先端部の重さが調整される。
【図面の簡単な説明】
【００５７】
【図１】本発明の第１実施形態に係る電子鍵盤装置を示す平面図である。
【図２Ａ】図１に示した電子鍵盤装置の縦断面図である。
【図２Ｂ】図１に示した電子鍵盤装置が備えるフレームの平面図である。
【図３Ａ】本発明の第２実施形態に係る電子鍵盤装置の縦断面図である。
【図３Ｂ】第２実施形態に係る電子鍵盤装置が備えるフレームの斜視図である。
【図３Ｃ】図３Ｂに示したフレームの平面図である。
【図４Ａ】本発明の第３実施形態に係る電子鍵盤装置の縦断面図である。
【図４Ｂ】第３実施形態に係る電子鍵盤装置が備えるフレームの斜視図である。
【図４Ｃ】図４Ｂに示したフレームの平面図である。
【図５Ａ】本発明の第４実施形態に係る電子鍵盤装置の縦断面図である。
【図５Ｂ】第４実施形態に係る電子鍵盤装置が備えるフレームの斜視図である。
【図５Ｃ】図５Ｂに示したフレームの平面図である。
【図６Ａ】本発明の第５実施形態に係る電子鍵盤装置の縦断面図である。
【図６Ｂ】第５実施形態に係る電子鍵盤装置が備えるフレームの斜視図である。
【図６Ｃ】図６Ｂに示したフレームの平面図である。
【図７】（Ａ）は本発明の第１〜第５実施形態に係る電子鍵盤装置が備えるハンマーの側面図であり、（Ｂ）および（Ｃ）は、変形例に係るハンマーの側面図である。
【符号の説明】
【００５８】
１０，１０ａ，１０ｂ，１０ｄ…鍵、１２，１２ａ，１２ｂ，１２ｄ…駆動部、１５…鍵前部、１６…鍵後部、１７…接続部材、２０，５０，６０，７０，８０…フレーム、２４…開口部、２５，５５，６５，７５，８５…側壁、４０，４０ａ，４０ｂ，４０ｄ…ハンマー、５１，６１，７１，８１…ハンマー支持部、５６，６６，７６，８６…鍵支持部、Ａ…電子鍵盤楽器。
【図１】
0005125471.tif 000002
【図２Ａ】
0005125471.tif 000003
【図２Ｂ】
0005125471.tif 000004
【図３Ａ】
0005125471.tif 000005
【図３Ｂ】
0005125471.tif 000006
【図３Ｃ】
0005125471.tif 000007
【図４Ａ】
0005125471.tif 000008
【図４Ｂ】
0005125471.tif 000009
【図４Ｃ】
0005125471.tif 000010
【図５Ａ】
0005125471.tif 000011
【図５Ｂ】
0005125471.tif 000012
【図５Ｃ】
0005125471.tif 000013
【図６Ａ】
0005125471.tif 000014
【図６Ｂ】
0005125471.tif 000015
【図６Ｃ】
0005125471.tif 000016
【図７】
0005125471.tif 000017